(57)【特許請求の範囲】
【請求項１】
車両（１０）に備えられた車両走行距離積算計（Ｄ）と、
前記車両（１０）の外部に備えられて前記車両（１０）と通信可能なコンピュータ（２０）とから構成され、
前記コンピュータ（２０）は、車両の走行距離積算値に関する情報を前記車両（１０）から受信し、かつ、当該受信した情報を記憶管理し、
前記車両走行距離積算計（Ｄ）は、前記コンピュータ（２０）にて記憶管理された情報に基づいて走行距離積算値を表示することを特徴とする車両走行距離積算値記憶システム。
【発明の詳細な説明】
【０００１】
【発明の属する技術分野】
本発明は、車両の走行距離積算値を表示するための車両走行距離積算値記憶システムに関するものである。
【０００２】
【従来の技術】
従来、総走行距離としての走行距離積算値を表示する走行距離積算計では、ＥＥＰＲＯＭ等の記憶手段を備えており、このＥＥＰＲＯＭに走行距離積算値を書き込み更新して記憶させている。
【０００３】
【発明が解決しようとする課題】
ところで、上記ＥＥＰＲＯＭに記憶された走行距離積算値は、当該車両がどのように使用されてきたかを把握するために重要なものである。例えば、中古車市場では、総走行距離が短い自動車に人気があり、このような自動車は高価額で取引されることが多い。このため、中古車としての売買にあたりその価額を高くすべく、ＥＥＰＲＯＭに記憶された走行距離積算値を小さい値に書き換えて不正に改竄するという事態が生じている。
【０００４】
本発明は、上記点に鑑み、記憶された走行距離積算値の不正改竄を困難にすることを目的とする。
【０００５】
【課題を解決するための手段】
上記目的を達成するため、請求項１に記載の発明では、車両（１０）に備えられた車両走行距離積算計（Ｄ）と、車両（１０）の外部に備えられて車両（１０）と通信可能なコンピュータ（２０）とから構成され、コンピュータ（２０）は、車両の走行距離積算値に関する情報を車両（１０）から受信し、かつ、当該受信した情報を記憶管理し、車両走行距離積算計（Ｄ）は、コンピュータ（２０）にて記憶管理された情報に基づいて走行距離積算値を表示することを特徴とする。
【０００６】
これによれば、車両外部のコンピュータ（２０）が、車両の走行距離積算値に関する情報を車両（１０）から受信し、かつ、当該受信した情報を記憶管理し、車両走行距離積算計（Ｄ）は、コンピュータ（２０）にて記憶管理された情報に基づいて走行距離積算値を表示するので、車両外部のコンピュータ（２０）にて記憶された走行距離積算値を不正に改竄することを、極めて困難にできる。
【００１４】
なお、上記各手段の括弧内の符号は、後述する実施形態に記載の具体的手段との対応関係を示す一例である。
【００１５】
【発明の実施の形態】
以下、本発明の各実施形態を図に基づいて説明する。
【００１６】
（第１実施形態）
図１は、本実施形態の車両走行距離積算値記憶システムを示すブロック図であり、車両１０と、車両１０の外部に備えられた車外管理センタとしてのコンピュータ２０とから構成されている。そして、当該車両１０とコンピュータ２０とは、相互に通信可能になっている。
【００１７】
そして、車両に備えられた車速センサ１１は、車両走行距離積算値に関する情報を、車両に備えられた送信機１２に出力する。そして、送信機１２は、上記情報を車外管理センタのコンピュータ２０に送信する。なお、車速センサ１１は、後述のスピードメータＳの車速センサを利用しており、この車速センサ１１は、当該乗用車の車速を検出するものである。
【００１８】
コンピュータ２０は、送信機１２から送信された情報に基づいて車両走行距離積算値を演算する。そして、コンピュータ２０に備えられたＥＥＰＲＯＭ等の不揮発性メモリ２１には、演算された車両走行距離積算値が記憶され、車両走行距離積算値はコンピュータ２０により一括管理される。なお、当該不揮発性メモリ２１は、特許請求の範囲に記載の外部記憶手段に相当するものである。
【００１９】
そして、コンピュータ２０は、不揮発性メモリ２１に記憶された車両走行距離積算値を、車両１０に備えられた受信機１３に送信する。そして、後述する表示器１４ｆには、受信機１３から出力された車両走行距離積算値が表示される。
【００２０】
図２は、車両１０に搭載されたメータ１４の正面図であり、このメータ１４は、コンビネーションメータとして、当該乗用車のインストルメントパネルに配設されている。
【００２１】
当該メータ１４は、スピードメータＳ、タコメータＴ、シフトインジケータＩ及び電子式走行距離積算計Ｄを備えている。スピードメータＳは、目盛り盤１４ａ及び指針１４ｂにより、当該乗用車の車速を指示するもので、目盛り盤１４ａは、環状の見返し板１４ｃの底壁１４ｄの開口部１４ｅにその裏面側から併設されている。
【００２２】
走行距離積算計Ｄは、液晶パネル等の表示器１４ｆを備えており、この表示器１４ｆは、目盛り盤１４ａの開口部１４ｇにその裏面側から併設されている。当該表示器１４ｆは、当該乗用車の走行距離の積算値を総走行距離としてデジタル表示する。
【００２３】
以上により、本実施形態によれば、走行距離積算計Ｄを備えるメータ１４に、走行距離積算値を記憶させることを廃止でき、しかも、走行距離積算値を車両外部のコンピュータ２０に記憶させるので、当該記憶された走行距離積算値を不正に改竄することを、極めて困難にできる。
【００２４】
（第２実施形態）
図３は、本実施形態の車両走行距離積算値記憶システムを示すブロック図であり、走行距離積算計Ｄを備えるメータ１４と、車両に備えられたナビゲーション装置１５とから構成されている。
【００２５】
そして、車速センサ１１からの情報は、メータ１４およびナビゲーション装置１５の双方に出力され、メータ１４およびナビゲーション装置１５のそれぞれにて、車速センサ１１からの情報に基づいて走行距離積算値が算出される。
【００２６】
そして、メータ１４では、メータ１４に備えられたＥＥＰＲＯＭ等の不揮発性メモリ１４ｈに、算出された走行距離積算値を随時記憶する。そして、ＥＥＰＲＯＭ１４ｈに記憶された走行距離積算値を、走行距離積算計Ｄの表示器１４ｆに表示させるようになっている。
【００２７】
一方、ナビゲーション装置１５では、ナビ装置１５に備えられたＥＥＰＲＯＭ等の不揮発性メモリ１５ａに、算出された走行距離積算値を所定期間毎に記憶する。そして、ＥＥＰＲＯＭ１５ａに記憶された走行距離積算値を、ナビ装置１５に備えられた表示器１５ｂに表示させる。なお、当該不揮発性メモリ１５ａは、特許請求の範囲に記載の車載記憶手段に相当するものである。
【００２８】
この表示器１５ｂへの表示態様の一例として、月毎の走行距離を表示することが挙げられる。なお、ナビ装置１５の表示器１５ｂへは、上記走行距離の他に、燃費等の車両情報を表示するようにしてもよい。
【００２９】
以上により、本実施形態によれば、車両の走行距離積算値を、メータ１４のＥ不揮発性メモリ１４ｈに随時記憶させる他に、ナビ装置１５の不揮発性メモリ１５ａにも所定期間毎に記憶させ、このメモリ１５ａに記憶された走行距離積算値をも表示器１５ｂにて表示させるので、仮に、メータ１４のメモリ１４ｈに記憶された走行距離積算値が不正に改竄された場合には、メータ１４の外部に備えられたナビ装置１５の表示器１５ｂに表示された走行距離積算値と、不正に改竄された値とが異なる値となるので、メータ１４の表示器１４ｆに表示された走行距離積算値を、ナビ装置１５の表示器１５ｂに表示された走行距離積算値と照合することにより、上記不正改竄が為されているか否かを容易に判別することができる。
【００３０】
（他の実施形態）
上記第１実施形態では、コンピュータ２０は、車両走行距離積算値を記憶して一括管理しているが、本発明の実施にあたり、車両走行距離積算値に関する情報以外の情報をも、車両１０からコンピュータ２０に送信してコンピュータ２０にて一括管理するようにしてもよい。なお、車両走行距離積算値に関する情報以外の情報の一例として、エンジン回転情報、冷却水温情報、車両が通った経路の情報等が挙げられる。
【００３１】
また、本発明の実施にあたり、車両１０からコンピュータ２０に、走行距離積算値に関する情報の他に、当該車両１０の識別情報と合わせて送信するようにして、コンピュータ２０にて、走行距離積算値に関する情報と合わせて上記識別情報を記憶させるようにしてもよい。これにより、メータ１４全体を交換することにより走行距離積算値を不正に置き換えようとする行為を、防止することができる。
【００３２】
また、上記第１実施形態では、コンピュータ２０にて、送信機１２から送信された情報に基づいて走行距離積算値を演算しているが、例えばメータ１４等の車両１０側にて走行距離積算値を演算し、この演算された走行距離積算値を送信機１２からコンピュータ２０に送信するようにしてもよいことは勿論である。
【図面の簡単な説明】
【図１】本発明の第１実施形態に係る、車両走行距離積算値記憶システムを示すブロック図である。
【図２】図１に示す表示器を備えた乗用車用計器の正面図である。
【図３】本発明の第２実施形態に係る、車両走行距離積算値記憶システムを示すブロック図である。
【符号の説明】
１０…車両、２１…外部コンピュータの不揮発性メモリ（外部記憶手段）、
Ｄ…車両走行距離積算計。
【図１】
0003786043.tif 000002
【図２】
0003786043.tif 000003
【図３】
0003786043.tif 000004